(57)【要約】   本発明の目的は、使用前の占有スペースを少なくするために容易に折り畳め、患者、特に対麻痺患者が容易に操作できる尿バッグを作製することである。これは、プラスチック材料製の２枚のシートで形成され、このシートが重ねられてその周縁（２）に沿って溶着されている尿収集バッグ（１）を使用して達成される。尿収集バッグ（１）は、収集区画（３）と、取込口（４）と、収集区画（３）へ入る入口（６）とを備え、前記入口は、取込口（４）と連通していて、収集区画（３）の上部を画成している。取込口（４）は、垂直な延長部（８）を備え、この延長部は、その周縁（２２）に沿って閉じられ、尿道カテーテル（９）を備えている。本発明のバッグ（１）は、取込口（４）および入口（６）が垂直方向にずれていることと、バッグ（１）の垂直方向の高さ（ｈｏ）は、延長部（８）の高（ｈｐ）さの数倍に相当することとを特徴とする。【選択図】図１
2016523151.tif 000002
【特許請求の範囲】
【請求項１】
プラスチック材料製の２枚のシートで形成され、該シートが重なり合ってその周縁（２）に沿って溶着されている尿収集バッグ（１）であって、前記尿収集バッグ（１）が、
収集区画（３）と、
取込口（４）と、
前記収集区画（３）へ入る入口（６）であって、前記入口が、前記取込口（４）と接触していて、前記収集区画（３）の上部を画成している、入口と
を備え、
前記取込口が、垂直な延長部（８）を備え、該延長部が、その周縁（２２）に沿って閉じられ、尿道カテーテル（９）を備える
前記尿収集バッグにおいて、
前記取込口（４）および前記入口（６）が垂直方向にずれていることと、
前記垂直な延長部（８）を含まない前記バッグ（１）の垂直方向の高さ（ｈ０）は、前記延長部（８）の高さ（ｈｐ）の数倍に相当することと
を特徴とする、尿収集バッグ（１）。
【請求項２】
前記バッグ（１）の高さ（ｈ０）は、前記延長部（８）の高さ（ｈｐ）の２倍に相当することを特徴とする、請求項１に記載の尿収集バッグ（１）。
【請求項３】
前記カテーテル（９）は、その近位端に平坦なコネクタ（１６）を有することを特徴とする、請求項１または２に記載の尿収集バッグ（１）。
【請求項４】
前記バッグ（１）は、前記区画（３）の前記入口（６）に逆止弁（７）を有することを特徴とする、請求項１〜３のうちいずれか一項に記載の尿収集バッグ（１）。
【請求項５】
前記区画（３）の下部（３０）の溶着した周縁は、角度（α）が少なくとも１８０°である環状セクション（Ｓ）と本質的に合致することを特徴とする、請求項１〜４のうちいずれか一項に記載の尿収集バッグ（１）。
【請求項６】
前記本質的に環状である部分の前記環状セクション（Ｓ）の角度（α）は、１８０°から３３０°であり、特に２２５°から２７０°であることを特徴とする、請求項５に記載の尿収集バッグ（１）。
【請求項７】
前記区画（３）の前記下部（３０）の形状は、垂直軸（Ａ）に沿って本質的に対称であることを特徴とする、請求項５または６に記載の尿収集バッグ（１）。
【請求項８】
前記バッグは、前記区画（３）の高さに細い部分（５）を有することを特徴とする、請求項５〜７のうちいずれか一項に記載の尿収集バッグ（１）。
【請求項９】
前記収集区画（３）の前記環状部は、３５０から５５０ｍｌ、特に４５０ｍｌの容積を有することを特徴とする、請求項１〜８のうちいずれか一項に記載の尿収集バッグ（１）。
【請求項１０】
前記収集区画（３）は、最大容積がおよそ７５０ｍｌであることを特徴とする、請求項１〜９のうちいずれか一項に記載の尿収集バッグ（１）。
【発明の詳細な説明】
【技術分野】
【０００１】
本発明は、尿を収集するためのバッグに関する。
【背景技術】
【０００２】
尿バッグは、患者が導尿される場合に尿を収集するのに使用される。したがって、尿は、膀胱からカテーテルを通って尿バッグに流れることができる。このようにするために、例えば、患者が病床に伏していて尿を持続的に別経路で採取しなければならない場合に、持続的な方法でカテーテルを装着できる。膀胱を一度空にするために、短期間単位でカテーテルを装着することもできる。後者の事例は間欠導尿と呼ばれ、これは、例えば患者が対麻痺で膀胱を導尿によって定期的に空にしなければならない場合、あるいは失禁の問題がある場合に使用される。通常、間欠導尿は、患者自身によって１日数回実行される。
【０００３】
患者自身による間欠導尿の状況では、特に、使用前後の尿バッグの取り扱いが快適であることが重要である。
【０００４】
例えば、特許文献１には、カテーテルを含む延長部を有する尿バッグが記載されている。このバッグは、患者が容易にコンパクトに収納できるように折り畳めるものである。間欠自己導尿を実施する患者は、１日に４から６本のカテーテルを必要とする。したがってその患者は、自律的に行うためにカテーテルを含む複数のバッグを所持していなければならない。カテーテルを含むバッグは、通常まとめて包装されており、患者はこの包装に対処しなければならないか、バッグを別々にばらさなければならない。身動きが限定されている患者には、どちらの選択肢にも欠点がある。
【先行技術文献】
【特許文献】
【０００５】
【特許文献１】欧州特許第２０７２０７５Ａ１号
【発明の概要】
【発明が解決しようとする課題】
【０００６】
本発明の目的は、使用前の嵩を少なくするために容易に折り畳める尿バッグであって、患者、特に対麻痺患者が容易に取り扱える尿バッグを作製することである。
【課題を解決するための手段】
【０００７】
この目的は、プラスチック材料製の２枚のシートで形成され、このシートが重なり合ってその周縁に沿って溶着されている尿収集バッグによって達成される。収集バッグは、収集区画と、取込口と、収集区画へ入る入口とを備え、前記入口は、取込口と接触していて、前記収集区画の上部を画成している。取込口は、垂直な延長部を備え、この延長部は、その周縁に沿って閉じられ、尿道カテーテルを備えている。本発明によるバッグは、取込口および入口が垂直方向にずれていることと、垂直な延長部を含まないバッグの垂直方向の高さは、前記延長部の高さの数倍に相当することとを特徴とする。
【０００８】
そのため、使用できる状態にある尿道カテーテルと収集バッグとのセットは、患者に対して使用可能に作製され、特に間欠導尿用に作製されてよい。尿道カテーテルは、その遠位端を上向きにしてバッグの延長部に配置されてよい。
【０００９】
したがって、内部にカテーテルを含み、使用できる状態にある未使用のバッグは、有利には、バッグを水平に１回または複数回折り畳み、延長部を下に折り畳み、その後バッグを丸めることによってコンパクトに収納できる。通常のカテーテルは、その近位端に平坦なコネクタを有する。したがって、折り畳んだバッグのこのコネクタを含んでいる端部は、反対側の端部よりも大きい半径で丸めることができる。これによって、丸めたアセンブリが円錐形になる。この方法で丸めた複数のバッグを、１つをもう１つの内部に入れて積み重ねることができる。患者は、目立たない方法で１日に十分な備蓄を所持できる。バッグは、その外装から出されてしまったとしても損傷からうまく保護され、扱いやすい。
【００１０】
バッグは、好ましくは、延長部の上部に事前に切り目の入ったシームを有することができ、これによって、カテーテルの遠位端が延長部を通ってスライドできる程度に延長部を破ることが可能になる。カテーテルの近位端は、バッグの延長部に残る。通常カテーテルの近位部に位置しているコネクタは、ストッパの機能を果たすことができ、カテーテルが完全にバッグから出るのを防止する。その後、カテーテルを通常の方法で使用できる。
【００１１】
延長部の垂直方向の高さは、好ましくは、バッグの全長のおよそ半分である。したがって、バッグは、カテーテルを含む延長部がバッグに向かって折り畳まれる前または後に１回折り畳むことができる。その後、バッグを丸めることができる。アセンブリは、患者の手動能力が限られているとしても患者自身が容易に広げることができる。
【００１２】
有利には、本発明による収集バッグは、収集区画の入口に逆止弁を備えていてよく、この逆止弁は、入口の方向に流体が逆流するのを防止する。
【００１３】
本発明の好適な実施形態によれば、バッグの収集区画の下部の溶着した周縁は、角度が少なくとも１８０°である環状セクションと本質的に合致する。
【００１４】
この特定の形状により、バッグは、充填されてしまえば直立することができ、横側に折れ曲がらない。患者は、充填されたバッグを平らな表面に置いて、例えば衣服を着ることができ、バッグは漏れることなくそこに留まる。
【００１５】
バッグの収集区画の下部の本質的に環状であるセクションの角度は、有利には１８０°から３３０°であり、特に２２５°から２７０°であってよい。それによって収集区画は、上が細くなる前にその最大幅に達する。試験により、充填されたバッグの安定性をこの方法で改善できることがわかった。
【００１６】
区画の下部の形状は、垂直軸に沿って本質的に対称であってよい。したがって、バッグは、両側で均等に細くなる。
【００１７】
バッグは、その区画の高さに細い部分があってよく、垂直方向に制限がある細い部分を収集区画の高さに形成するように上が広くてよい。
【００１８】
収集区画の環状部は、好ましくは、３５０から５５０ｍｌ、特に４５０ｍｌの容積を有する。試験により、この寸法の区画を有するバッグは、少なくとも約２００ｍｌの液体が入っている場合に安定することがわかった。患者が排出する尿の容積は、通常２００ｍｌから４００ｍｌであり、その結果、この容積の液体を充填された本発明によるバッグは、平らな表面上で安定した状態になる。
【００１９】
有利には、収集区画は、最大容積がおよそ７５０ｍｌであってよい。これは、患者が排出する尿の最大容積に相当する。したがって、この寸法のバッグであれば、入った容積が通常収集される容積より多くても、溢れることはあり得ない。
【００２０】
本発明の例示的な実施形態を、付属の図面を用いて以下にさらに詳細に説明する。
【図面の簡単な説明】
【００２１】
【図１】女性用尿道カテーテルを内蔵している収集バッグの例示的な実施形態を示す図である。
【図２】図１による例示的な実施形態を丸めた状態にある図である。
【発明を実施するための形態】
【００２２】
図１は、尿を収集するように設計された本発明によるバッグ１の好適で例示的な実施形態を示している。女性用尿道カテーテル９がバッグの延長部８の中に内蔵されている。
【００２３】
バッグ１は、プラスチック材料製の２枚のシートで形成され、このシートは重なり合って、その周縁２に沿って溶着されている。
【００２４】
バッグ１は、尿を収集するための収集区画３と、取込口４と、収集チャンバ３へ向かう入口６とを備え、収集チャンバは、チャネル１２を介して取込口４に接続している。入口６は、区画３の上部を画成している。
【００２５】
バッグは、取込口４に垂直な延長部８を有し、この延長部は、バッグを完全に閉じるようにその周縁２２に沿って溶着されている。女性用尿道カテーテル９は、延長部８内に位置している。
【００２６】
次に、カテーテル９の遠位端は、破ることを目的に延長部８の端部に設けられたシーム１４を破ることによってバッグを通ってスライドでき、通常の方法で使用できる。したがって、コネクタ１６を備えるカテーテル９の近位端は、尿がバッグ１のチャンバ３に直接流れられるように延長部８の内部に残る。
【００２７】
バッグ１は、単純な逆止弁も有し、この逆止弁は、２つの溶着部７で形成され、チャンバが特定の充填レベルに達した時点で液体が入口６を通ってチャネル１２の中に逆流するのを防止する。
【００２８】
このアセンブリは、使用できる状態で尿道カテーテル９を包装できるように滅菌処理されてよい。
【００２９】
収集バッグ１は高さがｈ０であり、この高さは延長部８の高さｈｐのおよそ２倍に相当する。カテーテルは、その近位端に平坦なコネクタ１６を有する。
【００３０】
したがって、バッグは、まずカテーテル９を含む延長部８を下に折り畳み、バッグ１をその高さのおよそ半分の所まで水平に折り畳むことによって、コンパクトに収納できる。その後、バッグを丸めることができる。
【００３１】
図２は、図１によるバッグ１を１回丸めた状態を示している。見てわかるように、延長部にあるカテーテルの内側に折り畳まれたコネクタによって円錐が作成される。丸めたバッグは、小さいステッカー２０で固定できる。
【００３２】
患者は、使用できる状態にあるカテーテルを含む丸めたバッグ１をコンパクトで目立たないように持ち運べる。間欠自己導尿を実行する患者は、１日に４から６本のカテーテルを必要とする。円錐形に丸めたバッグを容易に積み重ねられるとすれば、患者は複数のバッグを容易に持ち歩くこともできる。丸めて重ねたバッグは、外装がなくても損傷からうまく保護される。
【００３３】
図１に戻ると、バッグ１の区画３の下部３０の溶着した周縁は、角度がおよそ２２５°の環状セクションＳと本質的に合致することがわかる。前記区画３の下部３０の形状は、垂直軸Ａに沿って本質的に対称である。バッグは、区画３の高さに細い部分５を有する。
【００３４】
バッグのこの構造により、バッグは平らな表面上に直立でき、少なくとも約２００ｍｌの充填レベルで倒れることはない。バッグは、使用後に少しの間置くことができ、それによって例えば患者は、衣服を着たり、続いてサンプルを取ったりしてからバッグに入っている液体を捨てることができる。
【００３５】
収集区画３の環状部は、およそ４５０ｍｌの容積を有する。膀胱が完全に空になると、通常は２００から４００ｍｌの尿がバッグ１のチャンバ３にある。したがって、患者は、充填したバッグを短い間下に置いて衣服を着ることができる。本発明によるこの構造によって、バッグ１は安定したまま留まり、倒れず、こぼれない。
【００３６】
収集区画３の最大容積は、収集する尿の量が多い場合でも一切溢れないように、およそ７５０ｍｌである。
【００３７】
バッグ１はさらに、小さいチャンバ１８を備える領域１６を備え、この領域は、バッグを空にするためにシーム２０を破ることによって開けることができる。
【図１】
2016523151.tif 000003
【図２】
2016523151.tif 000004
【国際調査報告】
2016523151.tif 000005
2016523151.tif 000006
2016523151.tif 000007
2016523151.tif 000008
2016523151.tif 000009
2016523151.tif 000010